【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1のデバイスの無線をリソース拡散多元接続(RSMA)技術に従って動作するように構成するステップであって、前記RSMA技術は、データおよび制御を第1の動作モードでは時間領域リソースを介して拡散させ、第2の動作モードでは周波数領域リソースを介して拡散させる、ステップと、
前記第1のデバイスとワイヤレス通信するスケジューリングエンティティから前記第1のデバイスにおいて受信されたスケジューリング情報に従って前記無線を前記第1の動作モードと前記第2の動作モードとの間で切り替えるステップと、
前記第1の動作モードにおいて動作するときには、第1の電力レベルで前記第1のデバイスから前記時間領域リソースを介してワイドエリアネットワークにおけるエンティティにワイヤレスにデータを送信するステップと、
前記第2の動作モードにおいて動作するときには、
(a)前記第1の電力レベルよりも低い第2の電力レベルで前記第1のデバイスから前記周波数領域リソースを介してメッシュネットワークにおける第2のデバイスにワイヤレスにデータを送信するステップと、
(b)前記ワイドエリアネットワークにおける前記エンティティによって受信された場合に前記ワイドエリアネットワークにおける前記エンティティに、前記第2の動作モードにおける前記第1のデバイスによるデータ送信を無視させるように算出もしくは事前定義された電力レベル、または前記ワイドエリアネットワークにおける前記エンティティによって検出されないこと算出もしくは予期される電力レベルよりも低くなるように前記第2の電力レベルを選択するステップと
を含む方法。
【請求項２】
第3の動作モードでは、前記無線は、時間領域リソースと周波数領域リソースの組合せを介してデータを拡散させるように構成される、請求項1に記載の方法。
【請求項３】
前記無線を前記第2の動作モードにおいて動作させる間に前記第2のデバイスからデータを受信するステップと、
前記無線をその後前記第1の動作モードにおいて動作させるときには、前記データを前記ワイドエリアネットワークに送信するステップとをさらに含む、請求項1に記載の方法。
【請求項４】
前記メッシュネットワークを介して複数のデバイスによって送信されたデータをアグリゲートして、アグリゲートされたデータを取得するステップと、
前記無線をその後前記第1の動作モードにおいて動作させるときには、前記アグリゲートされたデータを前記ワイドエリアネットワークに中継するステップとをさらに含む、請求項1に記載の方法。
【請求項５】
前記無線を構成するステップは、
前記第1の動作モードでは低レートコードを使用してシングルキャリア波形においてデータを符号化するように前記無線を構成するステップと、
前記第2の動作モードでは前記低レートコードを使用してマルチキャリア直交周波数分割多重(OFDM)波形においてデータを符号化するように前記無線を構成するステップとを含む、請求項1に記載の方法。
【請求項６】
前記無線を動作させることが、
前記第1のデバイスによって受信されたスケジューリング情報によって指定された第1の時間に前記第1の動作モードを使用して通信するように前記無線を構成することと、
前記スケジューリング情報によって指定された第2の時間に前記第2の動作モードを使用して通信するように前記無線を動的に再構成することとを含む、請求項1に記載の方法。
【請求項７】
前記ワイドエリアネットワークのダウンリンク周波数を使用して前記第1のデバイスから前記第2のデバイスに第1のメッセージを送信するステップをさらに含み、前記第1のメッセージは、前記ワイドエリアネットワークとは無関係である、請求項1に記載の方法。
【請求項８】
前記無線を前記第2の動作モードにおいて動作させている間に前記ワイドエリアネットワークのアップリンク周波数を使用して前記第1のデバイスから第3のデバイスに第2のメッセージを送信するステップをさらに含み、
前記第2のメッセージは、前記ワイドエリアネットワークとは無関係である、請求項7に記載の方法。
【請求項９】
ワイヤレス通信のために構成された装置であって、
1つまたは複数の無線周波数キャリア上でワイヤレスに通信するための手段であって、無線エアインターフェースを含む手段と、
符号化されたデータストリームおよび直交周波数分割多重(OFDM)変調されたデータストリームを含む複数の信号から前記無線エアインターフェースの出力を選択するように構成された論理回路を含む、前記無線エアインターフェースを構成するための手段であって、スケジューリングエンティティとのワイヤレス通信を通じて受信されるスケジューリング情報に基づいて、前記無線エアインターフェースの前記出力を選択するようにさらに構成される手段と、
リソース拡散多元接続(RSMA)コーディング方式に従ってデータを符号化するための手段であって、当該データを符号化するための手段が前記符号化されたデータストリームを供給し、前記RSMA技術は、データおよび制御を第1の動作モードでは時間領域リソースを介して拡散させ、第2の動作モードでは周波数領域リソースを介して拡散させる、手段と、
前記符号化されたデータストリームを変調して前記OFDM変調されたデータストリームを取得するための手段とを備え、
第1の動作モードでは、前記無線エアインターフェースを構成するための前記手段は、前記符号化されたデータストリームを前記無線エアインターフェースの前記出力として選択し、データは、前記時間領域リソースを介して拡散され、
第2の動作モードでは、前記無線エアインターフェースを構成するための前記手段は、前記OFDM変調されたデータストリームを前記無線エアインターフェースの前記出力として選択し、前記データは、前記周波数領域リソースを介して拡散され、
前記装置は、前記第1の動作モードではワイドエリアネットワークのエンティティに送信し、
前記装置は、前記第2の動作モードではメッシュネットワークにおける第1のデバイスに送信する、装置。
【請求項１０】
第3の動作モードでは、前記符号化されたデータストリームの一部と前記OFDM変調されたデータストリームとを前記無線エアインターフェースの前記出力として選択し、データは、前記第3の動作モードでは時間領域リソースと周波数領域リソースの組合せを介して拡散される、請求項9に記載の装置。
【請求項１１】
前記符号化されたデータストリームは、前記第1の動作モードではシングルキャリア上で送信される、請求項9に記載の装置。
【請求項１２】
前記無線エアインターフェースを構成するための前記手段は、
前記第1のデバイスによって受信されたスケジューリング情報によって指定された第1の時間に前記第1の動作モードを使用して通信するように前記無線エアインターフェースを構成することと、
前記スケジューリング情報によって指定された第2の時間に前記第2の動作モードを使用して通信するように前記無線エアインターフェースを動的に再構成することとを行うように構成される、請求項9に記載の装置。
【請求項１３】
前記無線エアインターフェースは、前記第2の動作モードにおいて、前記ワイドエリアネットワークのダウンリンク周波数を使用して前記ワイドエリアネットワークとは無関係の第1のメッセージを前記第1のデバイスに送信するように構成される、請求項9に記載の装置。
【請求項１４】
前記無線エアインターフェースは、前記第2の動作モードにおいて、前記ワイドエリアネットワークのアップリンク周波数を使用して前記ワイドエリアネットワークとは無関係の第3のメッセージを前記メッシュネットワーク上の第2のデバイスに送信するように構成される、請求項13に記載の装置。
【請求項１５】
コンピューティングデバイスの処理手段において実行されたときに、請求項1から8のいずれか一項に記載の方法を実行するように構成された命令を含む、コンピュータプログラム。